(57)【要約】【課題】  同一画像グループ内の画像のみ表示することで、例えば、インデックス表示での画像確認や画像送り、画像選択をする際の利便性が高まる。【解決手段】  撮影時におけるシャッタースイッチの状態に応じて、一連の撮影動作中に撮影した画像であることを示すグループ画像情報を記憶手段に記憶させ、第１の表示部では、被写体の画像をリアルタイムに表示し続けるとともに、第２の表示部では、記憶手段に記憶されるグループ画像情報を利用して、一連の撮影動作中に撮影した画像のみを表示するよう制御する。【選択図】  図５
2007067516.tif 000002
【特許請求の範囲】
【請求項１】
撮影により得られた画像を表示する画像表示装置であって、
画像の表示が可能な第１の表示部と、
前記第１の表示部とは異なる表示態様で、画像の表示が可能な第２の表示部と、
撮影時におけるシャッタースイッチの状態に応じて、一連の撮影動作中に撮影した画像であることを示すグループ画像情報を記憶する記憶手段と、
前記第１の表示部では、被写体の画像をリアルタイムに表示し続けるとともに、前記第２の表示部では、前記記憶手段に記憶されるグループ画像情報を利用して、一連の撮影動作中に撮影した画像のみを表示するよう制御する表示制御手段と、を備えることを特徴とする画像表示装置。
【請求項２】
前記表示制御手段は、前記第２の表示部では、前記グループ画像情報として記憶された画像数や画像属性により、自動的にインデックス再生とシングル再生、撮影情報の表示・非表示を切り替えることを特徴とする請求項１に記載の画像表示装置。
【請求項３】
前記表示制御手段は、前記第２の表示部では、撮影者の操作や設定に基づき、撮影時の設定情報やヒストグラムを表示するよう制御することを特徴とする請求項１または２に記載の画像表示装置。
【請求項４】
前記一連の撮影動作中に撮影した画像とは、シャッタースイッチが半押しされている間に撮影された画像であることを特徴とする請求項１〜３のいずれかに記載の画像表示装置。
【請求項５】
前記一連の撮影動作中に撮影した画像とは、第１の表示部使用が検知されている間に撮影された画像であることを特徴とする請求項１〜４のいずれかに記載の画像表示装置。
【請求項６】
前記グループ画像情報は、画像内のタグの一部として記憶されることを特徴とする請求項１〜５のいずれかに記載の画像表示装置。
【請求項７】
前記グループ画像情報は、画像とは別のファイルで記憶されることを特徴とする請求項１〜６のいずれかに記載の画像表示装置。
【請求項８】
前記第１の表示部は表示される画像が接眼により認識可能であるよう構成され、前記第２の表示部は表示される画像が接眼せずとも認識可能であるように構成されていることを特徴とする請求項１〜７のいずれかに記載の画像表示装置。
【請求項９】
前記第２の表示部は、前記第１の表示部よりも表示サイズが大きいことを特徴とする請求項１〜８のいずれかに記載の画像表示装置。
【請求項１０】
前記第１の表示部が電子ビューファインダであり、前記第２の表示部が液晶ディスプレイであることを特徴とする請求項１〜９のいずれかに記載の画像表示装置。
【請求項１１】
撮影により得られた画像の表示が可能な第１の表示部と、前記第１の表示部とは異なる表示態様で、画像の表示が可能な第２の表示部と、を備える画像表示装置の制御方法であって、
撮影時におけるシャッタースイッチの状態に応じて、一連の撮影動作中に撮影した画像であることを示すグループ画像情報を記憶手段に記憶させ、前記第１の表示部では、被写体の画像をリアルタイムに表示し続けるとともに、前記第２の表示部では、前記記憶手段に記憶されるグループ画像情報を利用して、一連の撮影動作中に撮影した画像のみを表示するよう制御することを特徴とする画像表示装置の制御方法。
【発明の詳細な説明】
【技術分野】
【０００１】
本発明は、撮影により得られた画像の表示が可能な画像表示装置及び画像表示装置の制御方法に関するものである。
【背景技術】
【０００２】
デジタルカメラやデジタルビデオカメラなどの電子カメラにおいて、電子的に画像表示が可能な２つの表示部を備えているものがある。例えば、撮影モード時に被写体の画像をリアルタイムに電子的に表示する電子ビューファインダ（以下、ＥＶＦ）と、撮影直後または再生モード時に被写体の画像を電子的に表示する液晶ディスプレイ（以下、ＬＣＤ）を備えた電子カメラが知られている。
【０００３】
このような２つの表示部を備える電子カメラにおいて、ＥＶＦを使って撮影を行う場合、撮影直後に撮影した画像が任意の時間、そのままＥＶＦに表示されていた。この場合、撮影する度にＥＶＦに撮影画像が表示され、その間撮影が中断されることになる。そのため、撮影者は次のシャッターチャンスを逃す恐れがあった。そこで、ＥＶＦでの撮影時には、カメラの設定で撮影後の画像確認をしない設定にする必要があるなど、手間がかかっていた。また、一旦、撮影後の画像確認をしない設定にしたカメラでは、再生モードに切替えない限り、画像の確認をすることが出来ない。画像の確認をしようとするならば、その分、時間と手間がかかり、さらなるシャッターチャンスを逃す恐れもあった。
【０００４】
このような問題を鑑み、撮影モードにおいて、ＥＶＦにはＣＣＤからのスルー画像を表示させ、ＬＣＤには、撮影された画像を表示させる電子カメラも提案されている（特許文献１参照）。
【特許文献１】特開２００１−１６９１５０号公報
【発明の開示】
【発明が解決しようとする課題】
【０００５】
しかしながら、上記特許文献１では、ＬＣＤに対し、ただ単に撮影順に画像を表示させるだけであった。このため、一連の撮影動作中に撮影された画像、例えば、ブラケット撮影や、連写等により撮影されたグループ画像を表示させるには、ＬＣＤを見ながら画像選択せねばならないなど、手間のかかるものであった。
【０００６】
本発明は上記の実情に鑑みてなされたものであり、撮影の確認を行いたい画像のみを、時間と手間をかけずに確認をすることが可能な画像表示装置及び画像表示装置の制御方法を提供することを目的とする。
【課題を解決するための手段】
【０００７】
上記目的を達成するために、本発明の画像表示装置は、撮影により得られた画像を表示する画像表示装置であって、画像の表示が可能な第１の表示部と、前記第１の表示部とは異なる表示態様で、画像の表示が可能な第２の表示部と、撮影時におけるシャッタースイッチの状態に応じて、一連の撮影動作中に撮影した画像であることを示すグループ画像情報を記憶する記憶手段と、前記第１の表示部では、被写体の画像をリアルタイムに表示し続けるとともに、前記第２の表示部では、前記記憶手段に記憶されるグループ画像情報を利用して、一連の撮影動作中に撮影した画像のみを表示するよう制御する表示制御手段と、を備えることを特徴とする。
【０００８】
また、撮影により得られた画像の表示が可能な第１の表示部と、前記第１の表示部とは異なる表示態様で、画像の表示が可能な第２の表示部と、を備える画像表示装置の制御方法であって、撮影時におけるシャッタースイッチの状態に応じて、一連の撮影動作中に撮影した画像であることを示すグループ画像情報を記憶手段に記憶させ、前記第１の表示部では、被写体の画像をリアルタイムに表示し続けるとともに、前記第２の表示部では、前記記憶手段に記憶されるグループ画像情報を利用して、一連の撮影動作中に撮影した画像のみを表示するよう制御することを特徴とする。
【発明の効果】
【０００９】
本発明によれば、一連の撮影動作中に撮影された画像グループ情報を記憶し、そのグループに含まれる画像のみ表示を行うようにすることで、撮影の確認を行いたい画像のみを表示することができる。同一画像グループ内の画像のみ表示することで、例えば、インデックス表示での画像確認や画像送り、画像選択をする際の利便性が高まる。
【発明を実施するための最良の形態】
【００１０】
以下、本発明の詳細をその実施の形態にもとづいて図面を参照しながら説明する。
【００１１】
（第１の実施形態）
図１は本発明によるカードを挿入する情報機器の例として、デジタルカメラの一構成例を示したブロック図である。１００は第１及び、第２の表示部を備えたデジタルカメラ本体を示す。制御部１０１には撮像部１０２、操作部１０３、メインスイッチ１０４、シャッタースイッチ１０５及び１０６、モード切替スイッチ１０７、カードＩ／Ｆ１０９、電源制御部１１３、通信Ｉ／Ｆ１１６、からそれぞれ信号が入力される。また制御部１から表示部１０８、カードＩ／Ｆ１０９、電源制御部１１３に対して出力がなされる。また、制御部１はＲＯＭ１１４、ＲＡＭ１１５に接続している。
【００１２】
撮像部１０２は、複数のレンズ及び絞り、更に光学フィルタを介して被写体の光学的画像を撮像素子上に結像させ、その画像信号に所定の演算処理を行いデジタル信号に変換し、制御部１０１に入力する。操作部１０３、メインスイッチ１０４、シャッタースイッチ１０５及び１０６、モード切替スイッチ１０７は、制御部の各種の動作指示を入力するための操作手段であり、スイッチやダイアル、タッチパネル、視線検知によるポインティング、音声認識装置等の単数或いは複数の組み合わせで構成される。各種操作手段の操作により、操作信号を制御部１０１に指示することができる。
【００１３】
メインスイッチ１０４は、デジタルカメラの電源オン、電源オフの切替設定を指示するスイッチである。１０５のシャッタースイッチＳＷ１は、ＡＦ（オートフォーカス）処理、ＡＥ（自動露出）処理、ＡＷＢ（オートホワイトバランス）処理、ＥＦ（フラッシュプリ発光）処理等の動作開始を指示するスイッチである。１０６のシャッタースイッチＳＷ２は、撮像部１０２から読み出したデジタル信号を制御部１０１を介してカードＩ／Ｆ１０９に送り、カードスロット１１０に挿入されているカード１１７に画像データを書き込むという一連の処理の動作開始を指示するスイッチである。シャッタースイッチは、半押しすることでシャッタースイッチＳＷ１  １０５、全押しすることでシャッタースイッチＳＷ２  １０６の動作開始を指示する。
【００１４】
モード切替スイッチ１０７は、デジタルカメラの撮影モード、再生モード、通信モード等の各機能モードのいずれかに切り替えるスイッチである。各種ボタンやダイアル、タッチパネル等からなる操作部１０３は、メニューボタン、撮影・再生・通信の各モードで機能を実行する際に、各種機能の選択及び切り替えを設定する選択／切替スイッチ、各種機能やユーザ設定、画像に対するプロパティ設定などの決定及び実行を行う決定／実行スイッチ等がある。
【００１５】
表示部１０８は、文字、画像、音声等を用いて動作状態やメッセージ等を表示する液晶表示装置、スピーカー等であり、デジタルカメラの操作部近辺の視認し易い位置に単数或いは複数個所設置される。例えば、ＥＶＦやＬＣＤ、ＬＥＤ、発音素子等の組み合わせにより構成される。
【００１６】
ＥＶＦ、ＬＣＤの例として、図７にデジタルカメラ本体を背面から見た概略図を示す。デジタルカメラ本体７０１の背面に、各種操作部の他に、ＥＶＦ（液晶ビューファインダ）７０２と、ＬＣＤ（液晶ディスプレイ）７０３が備わっている。図７からも明らかなように、ＥＶＦ７０２は、表示される画像が接眼により認識可能であるよう構成され、ＬＣＤ７０３は、表示される画像が接眼せずとも認識可能であるように構成されている。
【００１７】
ＥＶＦ７０２では、撮像部１０２から読み出したデジタル信号を制御部１０１を介して、被写体の画像をリアルタイムに表示を行う。ＬＣＤ７０３では、撮像部１０２から読み出したデジタル信号を制御部１０１を介して画像データに変換し、その画像データの表示を行う。つまり、撮影時にＥＶＦがデジタルカメラのビューファインダとなり、ＬＣＤが画像再生のディスプレイとなる。
【００１８】
表示部１０８のその他の表示内容の一例として、デジタルカメラ設定の各種情報表示、メニュー表示、エラー表示、カードのライトプロテクト表示、カードの着脱状態表示、スロットカバーの開閉状態表示、アプリケーション動作表示、通信Ｉ／Ｆ動作表示、日付・時刻表示、カードに保存されている画像ファイルの表示、バッテリー状態表示、外部コンピュータとの接続状態を示す表示、等がある。
【００１９】
カードＩ／Ｆ１０９は、制御部１０１から送られる画像データをカード１１７への記録や、カード１１７内データの読み込みを行うためのインタフェースである。１１０は、カード１１７を格納するためのカードスロットである。カードスロット１１０には、カード保護、データ保全のためのスロットカバー１１１が付いている。さらに、スロットカバー１１１には、カバー開閉検出部１１２が付いており、これによりスロットカバーの開閉状態を検出する。カードスロット１１０に挿入される、カード１１７は、メモリカードやＩ／Ｏカードである。
【００２０】
電源制御部１１３は、電池検出回路、ＤＣ‐ＤＣコンバータ、通電するブロックを切り替えるスイッチ回路等により構成されており、電池の装着の有無、電池の種類、電池残量の検出を行い、検出結果及び制御部の指示に基づいてＤＣ‐ＤＣコンバータを制御し、必要な電圧を必要な期間、記録媒体を含む各部へ供給する。電源１１８はアルカリ電池やリチウム電池等の一次電池やＮｉＣｄ電池やＮｉＭＨ電池、Ｌｉ‐ｉｏｎ電池等の二次電池、ＡＣアダプター等からなる電源手段である。
【００２１】
ＲＯＭ１１４は、制御部動作用の定数、変数、プログラム等や、各種リソースが書き込まれている。また、ＲＡＭ１１５は、制御プログラムが使用するワーク領域やデータ領域である。通信Ｉ／Ｆ１１６は、ＲＳ２３２ＣやＵＳＢ（Ｕｎｉｖｅｒｓａｌ  Ｓｅｒｉａｌ  Ｂｕｓ）、ＩＥＥＥ１３９４、モデム、ＬＡＮ（Ｌｏｃａｌ  Ａｒｅａ  Ｎｅｔｗｏｒｋ）などの有線通信や無線通信、ＩｒＤＡ（Ｉｎｆｒａｒｅｄ  Ｄａｔａ  Ａｓｓｏｃｉａｔｉｏｎ）などの赤外線通信、光通信等の各種通信機能のいずれかを備える構成である。また、各種通信機能のうちの複数を備える構成でもよい。
【００２２】
本実施形態では、カメラの起動からＥＶＦでの撮影、ＬＣＤの撮影画像の表示までについて説明する。
【００２３】
まず図２において、カメラの起動時の処理についてフローチャートを用いて説明する。ステップＳ２０１において、カメラが撮影モードで起動されたか判断する。撮影モードで起動されていればステップＳ２０２へ、撮影モードではなく、再生モードで起動されていればステップＳ２０４へ移行する。ステップＳ２０２では、ＥＶＦ表示をＯＮにして、ステップＳ２０３で撮影モードを開始する。ステップＳ２０４では、ＬＣＤ表示をＯＮにして、ステップＳ２０５で再生モードを開始する。
【００２４】
撮影モード開始の動作については図３で、再生モードの開始の動作については図４で、それぞれ説明する。
【００２５】
図３において、撮影モード開始の動作についてフローチャートを用いて説明する。撮影モード開始時には、ＥＶＦ表示がＯＮ状態になっている。
【００２６】
まず、ステップＳ３０１で、ＥＶＦのライブビュー表示（被写体の画像をリアルタイムに表示）を開始する。次のステップＳ３０２で、再生モードへの切替え指示があるか判断する。再生モードへ切替えないならばステップＳ３０３へ、再生モードへ切替えるならばステップＳ３１０へ移行する。
【００２７】
ステップＳ３０３では、シャッタースイッチが半押しされているか判断する。半押しされていなければ、ステップＳ３０３に戻り、繰り返す。半押しされていれば、ステップＳ３０４に移行する。ステップＳ３０４では、ＬＣＤがＯＮ状態になっているか確認する。ＬＣＤがＯＮ状態であればステップＳ３０５に移行し、ＬＣＤがＯＮ状態でなければステップＳ３０６へ移行する。ステップＳ３０５では、ＯＮ状態になっているＬＣＤをＯＦＦ状態にして、ステップＳ３０６へ移行する。
【００２８】
ステップＳ３０６では、露出、フォーカス、ホワイトバランスの設定を行う。次にステップＳ３０７へ移行し、シャッタースイッチが全押しされているか判断する。全押しされていなければ、ステップＳ３０７に戻り、繰り返す。全押しされていれば、ステップＳ３０８に移行する。ステップＳ３０８では、撮像部１０２から読み出したデジタル信号を、制御部１０１を介して画像データに変換し、カードＩ／Ｆ１０９によりカード１１７へ記録する。次のステップＳ３０９では、ＬＣＤ上で撮影した画像の再生を行い、ステップＳ３０２へ戻る。したがって、ＬＣＤ上では、ステップＳ３０９で撮影直後にのみ画像の表示を開始し、ステップＳ３０２に戻り、再度撮影動作が開始された際には、ステップＳ３０５で表示を終了することになる。
【００２９】
ステップＳ３０２からステップＳ３１０へ移行した場合は、まずステップＳ３１０でＥＶＦ表示をＯＦＦにする。次にステップＳ３１１において、ＬＣＤがＯＦＦ状態になっているか判断する。ＬＣＤがＯＦＦ状態であればステップＳ３１２に移行し、ＬＣＤがＯＦＦ状態でなければステップＳ３１３へ移行する。ステップＳ３１２では、ＯＦＦ状態になっているＬＣＤをＯＮ状態にして、ステップＳ３１３へ移行する。ステップＳ３１３では、再生モードを開始する。再生モード開始については、図４のフローチャートで説明する。
【００３０】
図４において、再生モード開始の動作についてフローチャートを用いて説明する。再生モード開始時には、ＬＣＤ表示がＯＮ状態、ＥＶＦ表示がＯＦＦ状態になっている。
【００３１】
まずステップＳ４０１において、ＬＣＤで画像の再生を開始する。この画像再生の対象となるのは、一連の撮影動作中に撮影された特定の画像ではなく、メモリカード内にある全ての画像である。この画像再生のことを、本実施形態では、通常画像再生と呼ぶことにする。通常画像再生中は、ユーザの任意のカメラ操作により、シングル再生、インデックス再生、拡大表示、撮影情報、ヒストグラムの表示等の切替え表示が可能である。
【００３２】
次のステップＳ４０２では、撮影モードへの切替え指示があるか判断する。撮影モードへ切替えないならばステップＳ４０２へ戻り、繰り返す。再生モードへ切替えるならばステップＳ４０３へ移行する。ステップＳ４０３では、ＬＣＤ表示をＯＦＦ状態にし、通常画像再生を終了する。次のステップＳ４０４で、ＥＶＦ表示をＯＮ状態にする。以上の準備が整ったところで、ステップＳ４０５へ移行し、前述した撮影モードを開始する。
【００３３】
以上のように、本実施形態では、ＥＶＦで常にライブビュー表示が行われる中で撮影を行い、撮影した画像はＬＣＤ上で再生を行う。ＬＣＤは撮影直後のみ再生を開始し、再びシャッタースイッチが半押しされ、撮影動作が開始された場合は、ＬＣＤ表示を終了する。
【００３４】
すなわち、ＥＶＦで常にライブビュー表示が行われることで、従来の光学ファインダーと同様に、シャッターチャンスを逃さず、撮影に集中することが出来るとともに、撮影した画像は、時間と手間をかけずに、ＬＣＤですぐに確認することができる。
【００３５】
（第２の実施形態）
第１の実施形態では、撮影された画像は、その直後にＬＣＤ上に再生を行う。しかし、連写撮影やブラケット撮影など複数の画像を撮影した場合には、画像送りをしながら確認を行う必要がある。また、カード内に多くの画像が含まれている場合、今、撮影した画像だけを確認するには、時間と手間がかかる。
【００３６】
そこで、本実施形態では、一連の撮影動作中に撮影された画像をカメラが記録し、そのグループ画像のみの表示を行う。本実施形態では、一連の撮影動作を、シャッタースイッチの半押しがされ続けている間であるとする。カメラの起動時の処理、再生モード開始の動作は、第１の実施形態と同様である。
【００３７】
図５において、本実施形態における、撮影モード開始の動作についてフローチャートを用いて説明する。撮影モード開始時には、ＥＶＦ表示がＯＮになっている。
【００３８】
まず、ステップＳ５０１で、ＥＶＦのライブビュー表示を開始する。次のステップＳ５０２で、再生モードへの切替え指示があるか判断する。再生モードへ切替えないならばステップＳ５０３へ、再生モードへ切替えるならばステップＳ５１０へ移行する。ステップＳ５０３では、シャッタースイッチが半押しされているか判断する。半押しされていればステップＳ５０４に移行し、半押しされていなければステップＳ５０８に移行する。
【００３９】
ステップＳ５０４では、露出、フォーカス、ホワイトバランスの設定を行う。次にステップＳ５０５へ移行し、シャッタースイッチが全押しされているか判断する。全押しされていなければ、ステップＳ５０５に戻り、繰り返す。全押しされていれば、ステップＳ５０６に移行する。ステップＳ５０６では、撮像部１０２から読み出したデジタル信号を、制御部１０１を介して画像データに変換し、カードＩ／Ｆ１０９によりカード１１７へ記録する。次のステップＳ５０７で、撮影した画像に対して一意の画像グループ情報を記録する。この画像グループ情報は、画像ファイル毎にＥｘｉｆ情報の一部としてタグに書き込む。この画像グループ情報と、撮影日時やファイル番号とを比較し、画像グループ中の撮影画像の順番や、画像グループ自体の順番を決定することが出来る。次にステップＳ５０２に戻り、繰り返す。
【００４０】
以降、シャッタースイッチの半押しがされ続けている間は、同一の画像グループ情報を記録する。また、ブラケット撮影や連写など、あらかじめ一連の撮影動作中に撮影された画像である場合も、同一の画像グループ情報を記録する。これにより、一連の撮影動作中に撮影された画像に対して、同一の画像グループ情報を記録し、他の撮影画像と区別することが出来る。
【００４１】
ステップＳ５０３からステップＳ５０８へ移行した場合は、画像グループ情報が記録されている画像があるか判断する。画像グループ情報が記録されている画像があれば、ステップＳ５０９へ移行し、画像がなければステップＳ５０３に戻り、繰り返す。ステップＳ５０９では、画像グループ情報記録に基き、最新の画像グループに含まれる画像の再生をＬＣＤ上で行う。このＬＣＤ画像グループ再生の処理については、後の図６で説明する。
【００４２】
ステップＳ５０２からステップＳ５１０へ移行した場合は、ＥＶＦ表示をＯＦＦ状態にする。次にステップＳ５１１で、再生モードを開始する。この再生モードの開始の動作については、第１の実施形態の図４の説明において前述した通りである。
【００４３】
図６において、ＬＣＤ画像グループ再生についてフローチャートを用いて説明する。ＬＣＤ画像グループ再生は、画像グループ情報記録に基き、最新の画像グループに含まれる画像の再生を行う。同じ画像グループ情報が記録された画像は、一連の撮影動作中に撮影された画像群である。ＬＣＤ画像グループ再生の開始時には、ＬＣＤ表示がＯＦＦになっている。
【００４４】
まずステップＳ６０１において、ＬＣＤ表示をＯＮ状態にする。次のステップＳ６０２において、最新の画像グループ情報が記録された画像が複数であるかを調べる。撮影された画像が複数であればステップＳ６０３に、複数でなければステップＳ６０６へ移行する。ステップＳ６０３では、一連の撮影動作がブラケット撮影であるかどうか調べる。ブラケット撮影とは、露出やフォーカス等を自動的に変えながら複数画像の撮影を行うものである。ブラケット撮影であればステップＳ６０４へ、ブラケット撮影でなければステップＳ６０５へ移行する。
【００４５】
ステップＳ６０４では、ブラケット撮影された複数の画像に対して、撮影情報やヒストグラムを表示しながら、まとめて再生を行う。この情報表示付きブラケット画像再生表示の例を、図８に示す。情報表示付きブラケット画像再生中は、ユーザの任意のカメラ操作により、それぞれのブラケット画像のシングル再生、画像送り、拡大表示、撮影情報やヒストグラムの非表示等の切替え表示が可能である。
【００４６】
ステップＳ６０５では、同一画像グループ中の複数画像のインデックス再生を行う。この撮影画像インデックス再生表示の例を、図９に示す。撮影画像インデックス再生中も同様に、ユーザの任意のカメラ操作により、それぞれの画像のシングル再生、画像送り、拡大表示、撮影情報やヒストグラムの表示等の切替え表示が可能である。
【００４７】
ステップＳ６０６では、同一画像グループ中の画像が１枚だけの場合であり、画像のシングル再生を行う。この撮影画像シングル再生表示の例を、図１０に示す。撮影画像シングル再生中も同様に、ユーザの任意のカメラ操作により、画像の拡大表示、撮影情報やヒストグラムの表示等の切替え表示が可能である。
【００４８】
以上にように、一連の撮影動作中に撮影された画像グループをカメラが記録し、そのグループに含まれる画像のみの表示を行う。ブラケット撮影や連写などの属性やグループ画像の枚数によって、再生の表示形態を変え、時間と手間をかけずに撮影画像の確認をすることが可能である。
【００４９】
本実施形態では、一連の撮影動作を、シャッタースイッチの半押しがされ続けている間であるとしたが、表示部１０８のビューファインダに利用有無を検出する検知センサを取り付け、ビューファインダ使用が検知されている間を一連の撮影動作としても良い。その他、カメラ撮影の中で、一連の撮影動作を定義できるものであれば、それを一つの画像グループとしてまとめても良い。
【００５０】
また、本実施形態における画像グループ情報は、画像ファイル毎にＥｘｉｆ情報の一部としてタグに書き込んだが、ＤＰＯＦファイルのように画像とは別のフォルダ内にファイルを設け、まとめて管理しても良い。
【００５１】
さらに、この画像グループ情報を用いれば、カメラの再生モードにおいても同様にグループ毎の表示が可能である。つまり、撮影直後以外でも画像グループ別の再生表示が可能となる。さらに、カメラのＵＩ上で、画像グループを１単位として選択・非選択を行えば、カード内の画像指定や画像管理を容易にする。
【図面の簡単な説明】
【００５２】
【図１】本発明の実施形態によるデジタルカメラの構成を示すブロック図である。
【図２】カメラ起動時の処理を示すフローチャート図である。
【図３】第１の実施形態における、撮影時の処理を示すフローチャート図である。
【図４】再生モード開始時の処理を示すフローチャート図である。
【図５】第２の実施形態における、撮影時の処理を示すフローチャート図である。
【図６】ＬＣＤ画像グループ再生の処理を示すフローチャート図である。
【図７】デジタルカメラ本体を背面から見た模式図である。
【図８】情報表示付きブラケット画像再生の表示例を示した図である。
【図９】画像グループのインデックス再生の表示例を示した図である。
【図１０】撮影画像のシングル再生の表示例を示した図である。
【符号の説明】
【００５３】
１００  デジタルカメラ
１０１  制御部
１０２  撮像部
１０３  操作部
１０４  メインスイッチ
１０５  シャッタースイッチＳＷ１
１０６  シャッタースイッチＳＷ２
１０７  モード切替スイッチ
１０８  表示部
１０９  カードＩ／Ｆ
１１０  カードスロット
１１１  スロットカバー
１１２  カバー開閉検出部
１１３  電源制御部
１１４  ＲＯＭ
１１５  ＲＡＭ
１１６  通信Ｉ／Ｆ
１１７  カード
１１８  電源
７００  デジタルカメラ本体
７０１  ＥＶＦ（液晶ビューファインダ）
７０２  ＬＣＤ（液晶ディスプレイ）
【図１】
2007067516.tif 000003
【図２】
2007067516.tif 000004
【図３】
2007067516.tif 000005
【図４】
2007067516.tif 000006
【図５】
2007067516.tif 000007
【図６】
2007067516.tif 000008
【図７】
2007067516.tif 000009
【図８】
2007067516.tif 000010
【図９】
2007067516.tif 000011
【図１０】
2007067516.tif 000012